(57)【要約】【課題】制御装置から施設の一の区画までの間の通信路を設ける際の手間を減らす。【解決手段】無線通信路Ｃ１（又はＣ２、Ｃ３）は、制御装置７から施設の一の区画までの間の通信路の少なくとも一部を構成する。第１通信装置（例えば、ドアホン２Ｄ）は、制御装置７から送信され第２通信装置（例えば、ドアホン２Ａ）が受信した信号を、無線通信路Ｃ１（又はＣ２、Ｃ３）を介して受信し、インターホン親機（住宅情報盤５）へ送信する。【選択図】図１
2019193236.tif 000002
【特許請求の範囲】
【請求項１】
第１通信装置と、
前記第１通信装置との間で無線通信を行うことで無線通信路を形成する第２通信装置と、を備え、
前記無線通信路は、施設の共同玄関に設置されたロビーインターホンと前記施設の一の区画に設置されたインターホン親機との間の通信を中継し前記ロビーインターホンと前記インターホン親機との間の通信の有無を切り替える制御装置から前記一の区画までの間の通信路の少なくとも一部を構成し、
前記第１通信装置は、前記制御装置から送信され前記第２通信装置が受信した信号を、前記無線通信路を介して受信し、前記インターホン親機へ送信する、
通信システム。
【請求項２】
前記第１通信装置は、前記一の区画に設置された前記インターホン親機との間で有線通信を行う、
請求項１記載の通信システム。
【請求項３】
前記第１通信装置は、前記一の区画に設置された前記インターホン親機との通信を確立し、
前記第１通信装置は、前記第２通信装置から送信され前記第１通信装置が受信した前記信号の宛先が前記第１通信装置ではなく前記一の区画に設置された前記インターホン親機でもない場合、前記信号を別のインターホン親機へ転送する、
請求項１又は２に記載の通信システム。
【請求項４】
前記信号の転送先のアドレスを記憶する記憶部を更に備え、
前記第１通信装置は、前記アドレスに対応する機器へ前記信号を転送する、
請求項３記載の通信システム。
【請求項５】
前記記憶部は、前記信号の転送先の前記アドレスを、前記信号の宛先と対応付けて記憶する、
請求項４記載の通信システム。
【請求項６】
前記第１通信装置は、前記一の区画の玄関前に設置されたインターホン子機であり、前記インターホン親機と通信する、
請求項１〜５のいずれか一項に記載の通信システム。
【請求項７】
前記第１通信装置は、前記第２通信装置との間で無線通信を行うアンテナを有し、
前記アンテナの少なくとも一部は、前記第１通信装置が前記施設の壁材の一の面に取り付けられているとき、前記一の面から見て壁材の外側に位置する、
請求項１〜６のいずれか一項に記載の通信システム。
【請求項８】
前記第１通信装置は、電気絶縁性を有し前記壁材の前記一の面に取り付けられる取付部材と、前記一の面との間に前記取付部材を挟んだ状態で前記取付部材に取り付けられる筐体と、を更に有し、
前記アンテナは、前記取付部材に覆われている、
請求項７記載の通信システム。
【請求項９】
前記第１通信装置は、筐体と、電気絶縁性を有し前記筐体の外部に露出した操作釦と、を更に有し、
前記アンテナは、前記操作釦に覆われている、
請求項７記載の通信システム。
【請求項１０】
前記第２通信装置は、前記施設の複数の区画のうち、前記一の区画とは別の区画の玄関前に設置されたインターホン子機である、
請求項１〜９のいずれか一項に記載の通信システム。
【請求項１１】
前記第１通信装置は、前記インターホン親機から供給される電力を受電する受電部を有する、
請求項１〜１０のいずれか一項に記載の通信システム。
【請求項１２】
前記制御装置と、前記一の区画に設置された前記インターホン親機と、を更に備える、
請求項１〜１１のいずれか一項に記載の通信システム。
【請求項１３】
請求項１〜１２のいずれか一項に記載の通信システムに用いられる前記第１通信装置を備える、
通信装置。
【請求項１４】
請求項１〜１２のいずれか一項に記載の通信システムに用いられる前記第２通信装置を備える、
通信装置。
【請求項１５】
第１通信装置と第２通信装置との間で無線通信を行うことで無線通信路を形成する第１のステップを備え、
前記無線通信路は、施設の共同玄関に設置されたロビーインターホンと前記施設の一の区画に設置されたインターホン親機との間の通信を中継し前記ロビーインターホンと前記インターホン親機との間の通信の有無を切り替える制御装置から前記一の区画までの間の通信路の少なくとも一部を構成し、
信号を、前記制御装置から前記第２通信装置へ送信し、前記第２通信装置から前記無線通信路を介して前記第１通信装置へ送信し、前記第１通信装置から前記インターホン親機へ送信する第２のステップを更に備える、
通信システムの通信方法。
【請求項１６】
請求項１５記載の通信システムの通信方法を、コンピュータシステムに実行させるための、
プログラム。
【発明の詳細な説明】
【技術分野】
【０００１】
本開示は通信システム、通信装置、通信システムの通信方法及びプログラムに関し、より詳細には、インターホン親機へ信号を送信するための第１通信装置及び第２通信装置を備える通信システム、第１通信装置又は第２通信装置を備える通信装置、通信システムの通信方法及びプログラムに関する。
【背景技術】
【０００２】
従来例として特許文献１記載のインターホンシステムを例示する。特許文献１記載のインターホンシステムは、集合住宅（施設）のロビーに設置されるロビーインターホン装置と、当該集合住宅の住戸（一の区画）内に設置されるインターホン親機と、制御装置と、を備える。制御装置は、ロビーインターホン装置とインターホン親機との間の信号を中継する。複数のインターホン親機及び制御装置は、伝送路に接続される。伝送路は例えば、ツイストペアケーブルを使用した専用の幹線で構成される。
【先行技術文献】
【特許文献】
【０００３】
【特許文献１】特開２０１６−１７８３６３号公報
【発明の概要】
【発明が解決しようとする課題】
【０００４】
しかしながら、特許文献１記載のインターホンシステムでは、ツイストペアケーブルの設置条件によっては、伝送路（通信路）の設置に手間がかかることがあった。例えば、ツイストペアケーブルを地中に埋設する必要がある場合は、伝送路の設置に手間がかかることがあった。
【０００５】
本開示は、制御装置から施設の一の区画までの間の通信路を設ける際の手間を減らすことができる通信システム、通信装置、通信システムの通信方法及びプログラムを提供することを目的とする。
【課題を解決するための手段】
【０００６】
上記の課題を解決するために、本開示の一態様に係る通信システムは、第１通信装置と、第２通信装置と、を備える。前記第２通信装置は、前記第１通信装置との間で無線通信を行うことで無線通信路を形成する。前記無線通信路は、制御装置から施設の一の区画までの間の通信路の少なくとも一部を構成する。前記制御装置は、ロビーインターホンとインターホン親機との間の通信を中継し前記ロビーインターホンと前記インターホン親機との間の通信の有無を切り替える。前記ロビーインターホンは、前記施設の共同玄関に設置される。前記インターホン親機は、前記施設の前記一の区画に設置される。前記第１通信装置は、前記制御装置から送信され前記第２通信装置が受信した信号を、前記無線通信路を介して受信し、前記インターホン親機へ送信する。
【０００７】
本開示の一態様に係る通信装置は、前記通信システムに用いられる前記第１通信装置を備える。
【０００８】
本開示の別の態様に係る通信装置は、前記通信システムに用いられる前記第２通信装置を備える。
【０００９】
本開示の一態様に係る通信システムの通信方法は、第１のステップと、第２のステップと、を備える。前記第１のステップでは、第１通信装置と第２通信装置との間で無線通信を行うことで無線通信路を形成する。前記無線通信路は、制御装置から施設の一の区画までの間の通信路の少なくとも一部を構成する。前記制御装置は、ロビーインターホンとインターホン親機との間の通信を中継し前記ロビーインターホンと前記インターホン親機との間の通信の有無を切り替える。前記ロビーインターホンは、前記施設の共同玄関に設置される。前記インターホン親機は、前記施設の前記一の区画に設置される。前記第２のステップでは、信号を、前記制御装置から前記第２通信装置へ送信し、前記第２通信装置から前記無線通信路を介して前記第１通信装置へ送信し、前記第１通信装置から前記インターホン親機へ送信する。
【００１０】
本開示の一態様に係るプログラムは、前記通信方法を、コンピュータシステムに実行させる。
【発明の効果】
【００１１】
本開示の一態様に係る通信システム、通信装置、通信システムの通信方法及びプログラムは、制御装置から施設の一の区画までの間の通信路を設ける際の手間を減らすことができる。
【図面の簡単な説明】
【００１２】
【図１】図１は、一実施形態に係る通信システムの概略図である。
【図２】図２は、同上の通信システムの通信部を備えたドアホンのブロック図である。
【図３】図３は、同上の通信システムのドアホンの斜視図である。
【図４】図４は、同上の通信システムの動作例を示すシーケンス図である。
【図５】図５は、変形例１に係るドアホンのブロック図である。
【発明を実施するための形態】
【００１３】
以下、実施形態に係る通信システム、通信装置、通信システムの通信方法及びプログラムについて、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１４】
通信システム１は、例えば、集合住宅、オフィス、雑居ビル又は工場等の施設に設置される。本実施形態では、通信システム１が集合住宅に設置される場合を例に説明する。
【００１５】
（通信システムの構成）
本実施形態の通信システム１は、図１に示すように、複数のドアホン２（インターホン子機）を備えている。通信システム１は、複数の住宅情報盤５（インターホン親機）と、ロビーインターホン６と、制御装置７と、を更に備えている。
【００１６】
複数のドアホン２は、施設（ここでは集合住宅）の複数の区画と一対一で対応している。区画は、例えば、集合住宅の住戸である。各ドアホン２は、対応する区画の玄関前（室外）に設置されている。区画は、集合住宅の住戸に限定されず、オフィス、雑居ビル又は工場等の区画であってもよい。
【００１７】
図１では、６つのドアホン２を図示している。以下では、６つのドアホン２を区別して、それぞれドアホン２Ａ、２Ｂ、２Ｃ、２Ｄ、２Ｅ、２Ｆと称することがある。
【００１８】
集合住宅は、第１の棟Ｂ１と、第２の棟Ｂ２と、を含む。６つのドアホン２のうち、３つのドアホン２Ａ、２Ｂ、２Ｃは、第１の棟Ｂ１に設置され、残りの３つのドアホン２Ｄ、２Ｅ、２Ｆは、第２の棟Ｂ２に設置されている。ドアホン２Ａ、２Ｄは、互いに異なる棟の同じ階（図１ではｎ−１階、ｎは２以上の整数）に設置されている。ドアホン２Ｂ、２Ｅは、ドアホン２Ａ、２Ｄが設置されている階の１つ上の階（ｎ階）に設置されている。ドアホン２Ｃ、２Ｆは、ドアホン２Ｂ、２Ｅが設置されている階の１つ上の階（ｎ＋１階）に設置されている。
【００１９】
６つのドアホン２のうち、４つのドアホン２Ａ、２Ｂ、２Ｃ、２Ｄの各々は、通信部２０を備えている。つまり、通信システム１は、複数（図１では４つ）の通信部２０を備えている。
【００２０】
複数の通信部２０は、互いの間で無線通信を行う。これにより、複数の通信部２０は、複数（図１では３つ）の無線通信路Ｃ１、Ｃ２、Ｃ３を形成する。各無線通信路Ｃ１、Ｃ２、Ｃ３は、制御装置７から複数の住戸までの間の通信路の少なくとも一部を構成する。無線通信は、例えば、ＷｉＦｉ（登録商標）等の無線通信規格に基づいて行われる。
【００２１】
ドアホン２Ａは、無線通信路Ｃ２における無線通信によりドアホン２Ｂと通信する。ドアホン２Ｂは、無線通信路Ｃ３における無線通信によりドアホン２Ｃと通信する。
【００２２】
ドアホン２Ａは、無線通信路Ｃ１における無線通信によりドアホン２Ｄと通信する。無線通信路Ｃ１を経由することにより、第１の棟Ｂ１に設置された機器であるドアホン２Ａ、２Ｂ、２Ｃと、第２の棟Ｂ２に設置された機器であるドアホン２Ｄ、２Ｅ、２Ｆとの間で通信が可能である。
【００２３】
通信システム１は、主幹線Ｌ２を備えている。主幹線Ｌ２は、ドアホン２Ｄとドアホン２Ｅとを接続し、ドアホン２Ｅとドアホン２Ｆとを接続している。ドアホン２Ｄは、主幹線Ｌ２における有線通信によりドアホン２Ｅと通信する。ドアホン２Ｅは、主幹線Ｌ２における有線通信によりドアホン２Ｆと通信する。
【００２４】
複数の住宅情報盤５は、複数の住戸と一対一で対応している。各住宅情報盤５は、対応する住戸の室内に設置されている。
【００２５】
図１では、６つの住宅情報盤５を図示している。以下では、６つの住宅情報盤５を区別して、それぞれ住宅情報盤５Ａ、５Ｂ、５Ｃ、５Ｄ、５Ｅ、５Ｆと称することがある。住宅情報盤５Ａ、５Ｂ、５Ｃ、５Ｄ、５Ｅ、５Ｆは、ドアホン２Ａ、２Ｂ、２Ｃ、２Ｄ、２Ｅ、２Ｆと一対一で対応している。各住宅情報盤５は、住戸線Ｌ１により、対応するドアホン２に接続されている。つまり、各住宅情報盤５は、対応するドアホン２に有線で接続されている。これにより、各住宅情報盤５は、対応するドアホン２との通信が確立されている。つまり、住宅情報盤５は、対応するドアホン２との間で有線通信を行う。
【００２６】
ドアホン２Ｅ、２Ｆの各々は、分岐器を含む。ドアホン２Ｅ、２Ｆに接続された住戸線Ｌ１は、分岐器により主幹線Ｌ２から分岐している。
【００２７】
ロビーインターホン６及び制御装置７は、第１の棟Ｂ１に設置されている。ロビーインターホン６は、例えば、集合住宅の共同玄関に設置されている。制御装置７は、例えば、集合住宅の管理人室に設置されている。
【００２８】
制御装置７は、ロビーインターホン６と複数の住宅情報盤５との間の通信を中継する。制御装置７は、ロビーインターホン６と複数の住宅情報盤５との間の通信の有無を切り替える。すなわち、制御装置７は、ロビーインターホン６と、複数の住宅情報盤５のうちロビーインターホン６と通信する住宅情報盤５との間の通信を確立させる。また、制御装置７は、住宅情報盤５から送信される切断要求信号に応じて、ロビーインターホン６と住宅情報盤５との間の通信を切断する。
【００２９】
通信システム１は、ドアホン２Ａと制御装置７とを接続する主幹線Ｌ３と、制御装置７とロビーインターホン６とを接続する共用部幹線Ｌ４と、を備えている。
【００３０】
通信システム１の通信路は、複数の分岐器と、複数の住戸線Ｌ１と、主幹線Ｌ２、Ｌ３と、共用部幹線Ｌ４と、無線通信路Ｃ１、Ｃ２、Ｃ３と、を含む。複数の住戸線Ｌ１、主幹線Ｌ２、Ｌ３及び共用部幹線Ｌ４は、有線の通信路を構成している。有線の通信路は、例えば、平衡２線式の通信ケーブルで構成されている。
【００３１】
各住宅情報盤５は、操作部５１と、表示部５２と、を備えている。ロビーインターホン６は、操作部６１と、表示部６２と、を備えている。操作部５１、６１はそれぞれ、押し釦を含む。表示部５２、６２はそれぞれ、ディスプレイである。集合住宅への来訪者（ユーザ）は、ロビーインターホン６の操作部６１に呼出操作をすることで、複数の住戸のうち１つの住戸の住人を呼び出すことができる。
【００３２】
（ドアホンの構成）
次に、図２を参照して、ドアホン２の構成について説明する。ここでは、複数のドアホン２のうち、ドアホン２Ａの構成を説明するが、ドアホン２Ｂ、２Ｃ、２Ｄも同様の構成を備えている。
【００３３】
ドアホン２Ａは、通信部２０を備えている。通信部２０は、アンテナ２１と、第１の変復調回路２２と、を有している。ドアホン２Ａは、入出力端子Ｔ１と、制御部３と、スピーカ２３と、アンプ回路２４と、マイクロホン２５と、２線４線変換回路２６と、フィルタ回路２７と、第２の変復調回路２８と、受電部２９と、を更に備えている。
【００３４】
アンテナ２１は、ドアホン２Ｂのアンテナ及びドアホン２Ｄのアンテナとの間で電波を送受信する。これにより、アンテナ２１は、ドアホン２Ｂ及びドアホン２Ｄとの間で無線通信を行う。第１の変復調回路２２及び第２の変復調回路２８の各々は、変調回路と、復調回路と、を含む。第１の変復調回路２２の復調回路は、アンテナ２１が受信した信号を復調して制御部３へ出力する。第１の変復調回路２２の変調回路は、制御部３から出力された信号を変調してアンテナ２１へ出力し、アンテナ２１は、信号を電波により送信する。
【００３５】
ドアホン２Ａは、入出力端子Ｔ１を介して、住宅情報盤５及び制御装置７に接続されている。ドアホン２Ａは、入出力端子Ｔ１を介して、対応する住宅情報盤５Ａとの間で有線通信を行う。ここで、入出力端子Ｔ１は、例えば、電線等を接続するための部品（ねじ端子又はピン端子等）であってもよいし、回路基板に含まれる導体の一部、又は、電線の一部であってもよい。
【００３６】
第２の変復調回路２８の復調回路は、入出力端子Ｔ１を介して入力される信号を復調して制御部３へ出力する。
【００３７】
受電部２９は、住宅情報盤５Ａから住戸線Ｌ１及び入出力端子Ｔ１を介して供給される電力を受電する。ドアホン２Ａは、受電部２９で受電される電力により動作する。すなわち、ドアホン２Ａは、ドアホン２Ａに対応する住宅情報盤５Ａから電力の供給を受ける。受電部２９は、例えば、ダイオードブリッジ回路及びＤＣ／ＤＣコンバータを含む電源回路である。
【００３８】
制御部３は、ドアホン２Ａの各回路の動作を制御する。制御部３は、例えば、プロセッサを有するコンピュータにより構成されている。制御部３の機能の少なくとも一部は、プロセッサがプログラムを実行することにより実現される。
【００３９】
制御部３は、記憶部３１と、設定部３２と、Ａ／Ｄ変換器３３と、Ｄ／Ａ変換器３４と、を有している。記憶部３１は、例えば、電気的に書き換え可能な不揮発性のメモリ（フラッシュメモリ等）である。記憶部３１は、プロセッサが実行するプログラムを記憶している。
【００４０】
複数のドアホン２及び複数の住宅情報盤５にはそれぞれ、互いに異なるアドレスが割り当てられている。記憶部３１は、ドアホン２Ａが受信した信号の転送先のアドレスを記憶している。つまり、ドアホン２Ａの通信部２０は、ドアホン２Ａの通信部２０が受信した信号の宛先がドアホン２Ａではなく、ドアホン２Ａに接続された住宅情報盤５Ａでもない場合、転送先のアドレスに対応する機器（複数のドアホン２及び複数の住宅情報盤５のうちいずれか）へ信号を転送する。転送先のアドレスは、例えば、ドアホン２Ａ及び住宅情報盤５Ａに対応する住戸の部屋番号の情報を含む。転送先のアドレスに対応した機器へ信号を転送するとは、言い換えると、転送先のアドレスが割り当てられた機器へ信号を転送することである。
【００４１】
設定部３２は、記憶部３１に記憶される転送先のアドレスを設定する。設定部３２は、例えば、転送先のアドレスを指定する設定信号が外部から入力されると、設定信号に応じて転送先のアドレスを記憶部３１に記憶させる。
【００４２】
制御装置７から送信される信号は、第２の変復調回路２８を経由して制御部３へ出力される。この信号に音情報が含まれる場合、制御部３は、Ｄ／Ａ変換器３４により音情報をデジタル信号からアナログ信号に変換して、スピーカ２３に音を出力させる。
【００４３】
スピーカ２３は、２線４線変換回路２６に接続されている。マイクロホン２５は、アンプ回路２４を介して２線４線変換回路２６に接続されている。２線４線変換回路２６は、入出力端子Ｔ１に接続される２線式の回線の通信方式と、スピーカ２３に接続される２線式の回線及びマイクロホン２５に接続される２線式の回線を含む４線式の回線の通信方式とを、相互に変換する。２線４線変換回路２６は、マイクロホン２５から出力される信号がスピーカ２３へ入力されることを抑制する。
【００４４】
マイクロホン２５に入力された音は、音情報を含む電気信号に変換され、アンプ回路２４で増幅されて、フィルタ回路２７でノイズ等を除去され、制御部３へ出力される。さらに、この電気信号は、Ａ／Ｄ変換器３３でアナログ信号からデジタル信号に変換される。デジタル信号は、第２の変復調回路２８の変調回路で変調されて、入出力端子Ｔ１を介して制御装置７へ出力される。
【００４５】
ドアホン２Ｂ、２Ｃ、２Ｄの構成は、ドアホン２Ａの構成と同様である。ドアホン２Ｅ、２Ｆの構成は、ドアホン２Ａの構成から通信部２０が省略され、主幹線Ｌ２（図１参照）から住戸線Ｌ１（図１参照）を分岐させるための分岐器を備えた構成である。
【００４６】
図３に示すように、複数のドアホン２の各々は、本体部４０と、取付部材４３と、操作釦４４と、カメラ４５と、を更に備えている。本体部４０は、カバー４１と、筐体４２と、を有している。
【００４７】
取付部材４３は、貫通孔４３０を有している。取付部材４３は、枠状に形成されている。取付部材４３は、施設（建物）の壁材１００の一の面１１０に取り付けられる。取付部材４３は、例えば、木ねじ等を用いたねじ止めにより一の面１１０に取り付けられる。
【００４８】
本体部４０は、取付部材４３に取り付けられる。具体的には、本体部４０の筐体４２は、筐体４２の一部が取付部材４３の貫通孔４３０に挿入された状態で、例えば、ねじ止めにより取付部材４３に取り付けられる。カバー４１は、筐体４２のうち取付部材４３側とは反対側において筐体４２に取り付けられる。取付部材４３は、カバー４１と壁材１００の一の面１１０との間に挟まれる。
【００４９】
筐体４２の裏面（壁材１００に近い側の面）からは、住戸線Ｌ１（図１参照）に接続される電線が引き出される。電線は、取付部材４３の貫通孔４３０と壁材１００が有する貫通孔とを通って壁材１００の裏へ通される。
【００５０】
カバー４１は、板状に形成されている。カバー４１は、第１の開口部４１０と、第２の開口部４１１と、を有している。
【００５１】
操作釦４４は、外部からの操作を受け付ける。操作釦４４は、例えば、筐体４２に取り付けられている。操作釦４４は、筐体４２の外部に露出している。操作釦４４は、カバー４１の第１の開口部４１０に挿入されている。操作釦４４は、第１の開口部４１０を通してカバー４１の外部に露出している。
【００５２】
カバー４１は、導電性を有している。カバー４１は、例えば、アルミニウム又はアルミニウム合金により形成されている。筐体４２、取付部材４３及び操作釦４４は、電気絶縁性を有している。筐体４２、取付部材４３及び操作釦４４は、例えば、合成樹脂により形成されている。取付部材４３は、金属により形成されていてもよい。
【００５３】
ドアホン２Ａ、２Ｂ、２Ｃ、２Ｄの各々において、アンテナ２１（図２参照）は、取付部材４３に覆われている。ここで、アンテナ２１が取付部材４３に覆われているとは、取付部材４３の外にアンテナ２１があって取付部材４３がアンテナ２１を覆っている場合を含み、取付部材４３にアンテナ２１が埋め込まれている場合も含む。本実施形態では、アンテナ２１は、取付部材４３に埋め込まれている。ドアホン２Ａ（又は２Ｂ、２Ｃ、２Ｄ）が壁材１００に取り付けられているとき、アンテナ２１の少なくとも一部は、壁材１００の一の面１１０から見て壁材１００の外側に位置する。
【００５４】
カメラ４５は、ドアホン２の付近にいる来訪者を撮像する。カメラ４５のレンズは、カバー４１の第２の開口部４１１を通してカバー４１の外部に露出している。
【００５５】
（通信システムの動作例）
次に、通信システム１の動作例について、図１、４を参照して説明する。図４のステップＳ１〜Ｓ２６の傍に記載された文字はそれぞれ、信号の内容を表す。
【００５６】
複数の住宅情報盤５にはそれぞれ、互いに異なるアドレスが割り当てられている。制御装置７は、各住宅情報盤５に生存確認信号を送信する。生存確認信号は、生存確認信号の宛先の住宅情報盤５のアドレスを含む。住宅情報盤５は、生存確認信号に含まれるアドレスを、生存確認信号の宛先であると判断する。住宅情報盤５は、生存確認信号を受信した場合であって、生存確認信号の宛先が自機である場合、制御装置７に応答信号を送信する。応答信号は、応答信号の送信元の住宅情報盤５のアドレスを含む。制御装置７は、応答信号を受信すると、応答信号に含まれるアドレスに対応した住宅情報盤５と通信可能な状態であると判断する。
【００５７】
制御装置７は、まず、ドアホン２Ａに生存確認信号を送信する（ステップＳ１）。ドアホン２Ａは、生存確認信号に含まれるアドレスに基づいて、生存確認信号の宛先がドアホン２Ａであるか、住宅情報盤５Ａであるか、別の機器であるかを判断する。生存確認信号の宛先が住宅情報盤５Ａの場合、ドアホン２Ａは、住宅情報盤５Ａへ生存確認信号を転送する（ステップＳ２）。
【００５８】
住宅情報盤５Ａは、生存確認信号を受信すると、ドアホン２Ａへ応答信号を送信する（ステップＳ３）。ドアホン２Ａは、応答信号を受信すると、応答信号を制御装置７へ転送する（ステップＳ４）。制御装置７は、応答信号を受信する。
【００５９】
制御装置７は、例えば、時分割方式により各ドアホン２に生存確認信号を送信する。すなわち、制御装置７は、ドアホン２ごとに時間をずらして生存確認信号を送信する。制御装置７は、各ドアホン２に間欠的に生存確認信号を送信する。各ドアホン２は、間欠的に生存確認信号を受信する。各ドアホン２が生存確認信号を受信する頻度は、例えば、５分に１回である。
【００６０】
生存確認信号の宛先が住宅情報盤５Ａとは別の住宅情報盤５である場合の通信システム１の動作例は、次のようになる。
【００６１】
制御装置７は、まず、ドアホン２Ａに生存確認信号を送信する（ステップＳ５）。ドアホン２Ａは、生存確認信号に含まれるアドレスに基づいて、生存確認信号の宛先がドアホン２Ａであるか、住宅情報盤５Ａであるか、別の機器であるかを判断する。生存確認信号の宛先が住宅情報盤５Ｄの場合、ドアホン２Ａは、ドアホン２Ｄへ生存確認信号を転送する（ステップＳ６）。
【００６２】
ドアホン２Ｄは、生存確認信号に含まれるアドレスに基づいて、生存確認信号の宛先がドアホン２Ｄであるか、住宅情報盤５Ｄであるか、別の機器であるかを判断する。生存確認信号の宛先が住宅情報盤５Ｄの場合、ドアホン２Ｄは、住宅情報盤５Ｄへ生存確認信号を転送する（ステップＳ７）。
【００６３】
住宅情報盤５Ｄは、生存確認信号を受信すると、ドアホン２Ｄへ応答信号を送信する（ステップＳ８）。ドアホン２Ｄは、応答信号を受信すると、応答信号をドアホン２Ａへ転送する（ステップＳ９）。ドアホン２Ａは、応答信号を受信すると、応答信号を制御装置７へ転送する（ステップＳ１０）。制御装置７は、応答信号を受信する。
【００６４】
図１において、ドアホン２Ｄは、もし、生存確認信号の宛先がドアホン２Ｄではなく住宅情報盤５Ｄでもない場合、別のドアホン２へ生存確認信号を転送する。本実施形態では、ドアホン２Ｄは、生存確認信号の宛先が住宅情報盤５Ｅ又は５Ｆの場合、ドアホン２Ｅへ生存確認信号を転送する。
【００６５】
ドアホン２Ｂ、２Ｃ、２Ｅ、２Ｆもドアホン２Ａ、２Ｄと同様に、生存確認信号の宛先が自機に接続された住宅情報盤５の場合は、当該住宅情報盤５へ生存確認信号を転送する。各ドアホン２は、生存確認信号の宛先が自機ではなく自機に接続された住宅情報盤５でもない場合、別のドアホン２へ生存確認信号を転送する。
【００６６】
住宅情報盤５Ａ、５Ｄ以外の住宅情報盤５に生存確認信号が送信される場合も同様に、１又は複数のドアホン２を介して住宅情報盤５と制御装置７とが通信する。住宅情報盤５Ｄ、５Ｅ又は５Ｆに生存確認信号が送信される場合は、無線通信路Ｃ１を介して住宅情報盤５Ｄ、５Ｅ又は５Ｆと制御装置７とが通信する。すなわち、第１の棟Ｂ１に設置された機器である制御装置７と、第２の棟Ｂ２に設置された機器である住宅情報盤５Ｄ、５Ｅ又は５Ｆとが通信する場合は、無線通信路Ｃ１を介して通信が行われる。住宅情報盤５Ｂに生存確認信号が送信される場合は、無線通信路Ｃ２を介して住宅情報盤５Ｂと制御装置７とが通信する。住宅情報盤５Ｃに生存確認信号が送信される場合は、無線通信路Ｃ２、Ｃ３を介して住宅情報盤５Ｃと制御装置７とが通信する。
【００６７】
ドアホン２は、別のドアホン２、住宅情報盤５、制御装置７又はそれ以外の機器との間で有線通信により信号（生存確認信号、応答信号又はそれ以外の信号）を送受信してもよいし、通信部２０による無線通信により信号を送受信してもよい。
【００６８】
信号の転送先のアドレスは、ドアホン２の記憶部３１（図２参照）に記憶されている。ドアホン２は、記憶部３１に記憶されたアドレスに対応する機器へ信号を転送する。
【００６９】
記憶部３１において、信号の転送先のアドレスは、信号の宛先と対応付けて記憶されている。通信システム１では、信号の宛先ごとに、信号が伝達される経路が予め決まっており、記憶部３１には、信号がこの経路を通るような転送先のアドレスが記憶されている。
【００７０】
各ドアホン２では、信号の宛先が自機に対応する住宅情報盤５の場合は、住戸線Ｌ１を通して、自機に対応する住宅情報盤５へ信号を転送する。各ドアホン２では、信号の宛先が自機に対応しない住宅情報盤５の場合は、別のドアホン２へ信号を転送する。宛先の住宅情報盤５に対応するドアホン２へ信号が送信されてから、このドアホン２から宛先の住宅情報盤５へ信号が転送される。つまり、各ドアホン２は、信号の宛先が自機に対応しない住宅情報盤５の場合は、１又は複数のドアホン２を介して宛先の住宅情報盤５へ信号を転送する。
【００７１】
例えば、ドアホン２Ａでは、信号の宛先が住宅情報盤５Ｂ、５Ｃ、又はドアホン２Ｂ、２Ｃの場合、信号の転送先はドアホン２Ｂである。ドアホン２Ａでは、信号の宛先が住宅情報盤５Ｄ、５Ｅ、５Ｆ、又はドアホン２Ｄ、２Ｅ、２Ｆの場合、信号の転送先はドアホン２Ｄである。ドアホン２Ａでは、信号の宛先が制御装置７の場合、信号の転送先は制御装置７である。
【００７２】
例えば、ドアホン２Ｄでは、信号の宛先が住宅情報盤５Ａ、５Ｂ、５Ｃ、ドアホン２Ａ、２Ｂ、２Ｃ、又は制御装置７の場合、信号の転送先はドアホン２Ａである。ドアホン２Ｄでは、信号の宛先が住宅情報盤５Ｅ、５Ｆ、又はドアホン２Ｅ、２Ｆの場合、信号の転送先はドアホン２Ｅである。
【００７３】
集合住宅への来訪者（ユーザ）は、ロビーインターホン６の操作部６１に呼出操作をすることで、複数の住戸のうち１つの住戸の住人を呼び出すことができる。呼出操作は、住戸の部屋番号を指定する操作を含む。来訪者が呼出操作をすると、ロビーインターホン６から制御装置７へ所定の信号が送信される。すると、制御装置７は、操作部６１で指定された部屋番号に対応する住宅情報盤５へ呼出信号を送信する。呼出信号は、呼出信号の宛先の住宅情報盤５のアドレスを含む。
【００７４】
図４のステップＳ１１〜Ｓ１３では、呼出信号の宛先は住宅情報盤５Ｄである。生存確認信号が制御装置７から住宅情報盤５Ｄへ送信される場合と同様にして、呼出信号が制御装置７から住宅情報盤５Ｄへ送信される。すなわち、制御装置７は、まず、ドアホン２Ａへ呼出信号を送信する（ステップＳ１１）。ドアホン２Ａは、ドアホン２Ｄへ呼出信号を転送する（ステップＳ１２）。ドアホン２Ｄは、住宅情報盤５Ｄへ呼出信号を転送する（ステップＳ１３）。
【００７５】
住宅情報盤５Ｄが呼出信号を受信すると、住宅情報盤５Ｄのスピーカは、呼出音を発する。住戸の住人が住宅情報盤５Ｄの操作部５１に応答操作（例えば、釦操作）をすると、住宅情報盤５Ｄは、ドアホン２Ｄへ接続要求信号を送信する（ステップＳ１４）。ドアホン２Ｄは、接続要求信号をドアホン２Ａへ転送する（ステップＳ１５）。ドアホン２Ａは、接続要求信号を制御装置７へ転送する（ステップＳ１６）。
【００７６】
制御装置７が接続要求信号を受信すると、住宅情報盤５Ｄとロビーインターホン６との間の通信が確立される。住宅情報盤５Ｄとロビーインターホン６とがハンドシェイクを行う。ハンドシェイクとは、異なる機器間で通信を行うために通信方式等の取決めをすることである。住宅情報盤５Ｄのマイクロホンで集音された音は、音情報を含む電気信号に変換されてから、ドアホン２Ｄ、ドアホン２Ａ及び制御装置７を介してロビーインターホン６へ送信され、ロビーインターホン６のスピーカから音として出力される。ロビーインターホン６のマイクロホンで集音された音は、音情報を含む電気信号に変換されてから、制御装置７、ドアホン２Ａ及びドアホン２Ｄを介して住宅情報盤５Ｄへ送信され、住宅情報盤５Ｄのスピーカから音として出力される。すなわち、住宅情報盤５Ｄと制御装置７との間で、音情報が送受信され（ステップＳ１７）、制御装置７を介して住宅情報盤５Ｄとロビーインターホン６との間で音情報が送受信される。また、ロビーインターホン６に備えられたカメラは、来訪者を撮像し、画像（静止画像又は動画像）情報を生成する。画像情報は、ロビーインターホン６から制御装置７、ドアホン２Ａ及びドアホン２Ｄを介して住宅情報盤５Ｄへ送信される。住宅情報盤５Ｄの表示部５２には、画像情報に基づいた画像が表示される。
【００７７】
住戸の住人は、住宅情報盤５Ｄの操作部５１に切断要求操作（例えば、釦操作）を行うことで、住宅情報盤５Ｄとロビーインターホン６との間の通信を切断できる。操作部５１に切断要求操作がされると、住宅情報盤５Ｄは、ドアホン２Ｄ及びドアホン２Ａを介して制御装置７へ切断要求信号を送信する（ステップＳ１８、Ｓ１９、Ｓ２０）。すると、制御装置７は、ドアホン２Ａ及びドアホン２Ｄを介して、住宅情報盤５Ｄへ切断命令信号を送信する（ステップＳ２１、Ｓ２２、Ｓ２３）。住宅情報盤５Ｄは、ドアホン２Ｄ及びドアホン２Ａを介して制御装置７へ切断応答信号を送信する（ステップＳ２４、Ｓ２５、Ｓ２６）。制御装置７は、切断応答信号を受信すると、住宅情報盤５Ｄとロビーインターホン６との間の通信を切断する。
【００７８】
制御装置７から住宅情報盤５Ｄ以外の住宅情報盤５に呼出信号が送信される場合も同様に、１又は複数のドアホン２を介して住宅情報盤５と制御装置７とが通信する。
【００７９】
本開示では、ドアホン２Ａ、２Ｂ、２Ｃ、２Ｄが第１通信装置又は第２通信装置に相当する。通信装置は、第１通信装置又は第２通信装置を備えている。本開示では、通信装置は、第１通信装置又は第２通信装置のみからなる。通信装置は、第１通信装置又は第２通信装置以外の構成を更に備えていてもよい。例えば、通信装置は、住宅情報盤５と無線通信するための構成を更に備えていてもよい。
【００８０】
ドアホン２Ｄを第１通信装置とすると、ドアホン２Ａが第２通信装置に相当する。すなわち、ドアホン２Ｄは、制御装置７から送信されドアホン２Ａが受信した信号を、無線通信路Ｃ１を介して受信し、住宅情報盤５Ｄ（インターホン親機）へ送信する。
【００８１】
また、ドアホン２Ｂを第１通信装置とすると、ドアホン２Ａが第２通信装置に相当する。すなわち、ドアホン２Ｂは、制御装置７から送信されドアホン２Ａが受信した信号を、無線通信路Ｃ２を介して受信し、住宅情報盤５Ｂ（インターホン親機）へ送信する。
【００８２】
また、ドアホン２Ｃを第１通信装置とすると、ドアホン２Ａ及びドアホン２Ｂの各々が第２通信装置に相当する。すなわち、ドアホン２Ｃは、制御装置７から送信されドアホン２Ａ及び２Ｂが受信した信号を、無線通信路Ｃ１及びＣ２を介して受信し、住宅情報盤５Ｃ（インターホン親機）へ送信する。
【００８３】
本実施形態に係る通信システム１の通信方法は、第１通信装置と第２通信装置との間で無線通信を行うことで無線通信路Ｃ１、Ｃ２、Ｃ３のうち少なくとも１つを形成する第１のステップと、信号を制御装置７から住宅情報盤５へ送信する第２のステップと、を備える。第２のステップでは、信号を、制御装置７から第２通信装置へ送信し、第２通信装置から無線通信路Ｃ１、Ｃ２、Ｃ３のうち少なくとも１つを介して第１通信装置へ送信し、第１通信装置から住宅情報盤５へ送信する。
【００８４】
本実施形態の通信システム１では、第１の棟Ｂ１に設置された制御装置７と、第２の棟Ｂ２に設置されたドアホン２Ｄ、２Ｅ、２Ｆとが無線通信路Ｃ１を介して通信する。したがって、第１の棟Ｂ１と第２の棟Ｂ２とが離れている場合や、第１の棟Ｂ１と第２の棟Ｂ２との間に公道等があって第１の棟Ｂ１と第２の棟Ｂ２との間の電線を引くのが困難な場合であっても、第１の棟Ｂ１と第２の棟Ｂ２との間の通信路を設けられる。また、例えば、第１の棟Ｂ１と第２の棟Ｂ２との間の通信路を構成する電線を地中に埋設する場合と比較して、第１の棟Ｂ１と第２の棟Ｂ２との間の通信路を設ける際の手間を減らすことができる。
【００８５】
また、通信システム１では、ドアホン２Ａとドアホン２Ｂとが無線通信路Ｃ２を介して通信する。したがって、例えば、ドアホン２Ａとドアホン２Ｂとの間の通信路を構成する電線を施設（建物）の壁に埋め込む場合と比較して、ドアホン２Ａとドアホン２Ｂとの間の通信路を設ける際の手間を減らすことができる。同様に、ドアホン２Ｂとドアホン２Ｃとが無線通信路Ｃ３を介して通信することで、ドアホン２Ｂとドアホン２Ｃとの間の通信路を設ける際の手間を減らすことができる。
【００８６】
また、既設の有線の通信路を構成する電線が劣化して、通信路を新しい通信路に置き換えることが必要となることがある。既設の有線の通信路を、通信システム１の無線通信路Ｃ１、Ｃ２又はＣ３に置き換えることができる。その場合、既設の有線の通信路を構成する電線を新しい電線に置き換える場合と比較して、工事の手間を減らすことができる。
【００８７】
また、既設の有線の通信路が２ペア以上の電線により構成されている場合は、少なくとも１ペアの電線を残したまま、残りのペアの電線により構成される通信路を無線通信路に置き換えてもよい。例えば、ドアホン２Ｅとドアホン２Ｆとの間の既設の通信路が２ペアの電線により構成されており、ドアホン２Ｅとドアホン２Ｆとの各々が、１ペアの端子からなる入出力端子Ｔ１（図２参照）を２つ有している場合を考える。この場合は、ドアホン２Ｅの１つの入出力端子Ｔ１とドアホン２Ｆの１つの入出力端子Ｔ１とが１ペアの電線により接続された状態を維持して、ドアホン２Ｅの残りの１つの入出力端子Ｔ１に第２の通信装置を接続し、ドアホン２Ｆの残りの１つの入出力端子Ｔ１に第１の通信装置を接続してもよい。第１の通信装置と第２の通信装置とが無線通信を行うことで、ドアホン２Ｅとドアホン２Ｆとが通信できるようになる。第１の通信装置及び第２の通信装置を新しく設置する作業の間、１ペアの電線はドアホン２Ｅとドアホン２Ｆとに接続されたままなので、ドアホン２Ｅとドアホン２Ｆとの間で有線通信を継続することができる。また、第１の通信装置及び第２の通信装置を設置した後、１ペアの電線により接続されたドアホン２Ｅの１つの入出力端子Ｔ１とドアホン２Ｆの１つの入出力端子Ｔ１とを、新しい電線によりつないでもよい。
【００８８】
あるいは、通信システム１は、第１の通信装置及び第２の通信装置を２つずつ備えていてもよい。そして、ドアホン２Ｅの一方の入出力端子Ｔ１に一方の第２の通信装置を接続し、ドアホン２Ｆの一方の入出力端子Ｔ１に一方の第１の通信装置を接続してもよい。その後、ドアホン２Ｅの他方の入出力端子Ｔ１に他方の第２の通信装置を接続し、ドアホン２Ｆの他方の入出力端子Ｔ１に他方の第１の通信装置を接続してもよい。
【００８９】
また、通信システム１では、住戸の玄関前に設置されたドアホン２が無線通信を行う。したがって、住戸の室内に設置された機器である住宅情報盤５が無線通信を行う場合と比較して、電波の伝搬が施設（建物）の鉄筋等の構造体により妨げられる可能性を低減できる。
【００９０】
住宅情報盤５は、防災機器に接続されて緊急時の放送を行ってもよい。また、住宅情報盤５は、住戸の分電盤に接続されて住戸での消費電力を表示してもよい。また、住宅情報盤５は、インターネット回線を経由してスマートホン等の携帯電話との間で音情報及び画像情報を通信してもよい。
【００９１】
本開示における通信システム１、通信装置及び通信システムの通信方法の実行主体は、コンピュータシステムを含んでいる。コンピュータシステムは、１又は複数のコンピュータを有している。コンピュータシステムは、ハードウェアとしてのプロセッサ及びメモリを主構成とする。コンピュータシステムのメモリに記録されたプログラムをプロセッサが実行することによって、本開示における通信システム１、通信装置及び通信システムの通信方法の実行主体としての機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ（磁気ディスク）等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００９２】
（変形例１）
次に、実施形態の変形例１について説明する。実施形態と同様の構成については、共通の符号を付して説明を省略する。
【００９３】
図５に示すように、本変形例では、ドアホン２００の構成が、実施形態のドアホン２と異なる。ドアホン２００の構成は、実施形態のドアホン２Ａ〜２Ｆのいずれに適用されてもよい。
【００９４】
ドアホン２００は、入出力端子Ｔ１に加えて、入出力端子Ｔ２を更に備えている。また、ドアホン２００は、実施形態のフィルタ回路２７に代えて、第２のフィルタ回路２７２を備えている。ドアホン２００は、第１のフィルタ回路２７１と、第３のフィルタ回路２７３と、第３の変復調回路４６と、を更に備えている。
【００９５】
ドアホン２００は、入出力端子Ｔ１を介して、住宅情報盤５（図１参照）に接続されている。ドアホン２００は、入出力端子Ｔ１を介して、住宅情報盤５との間で有線通信を行う。ドアホン２００は、入出力端子Ｔ２を介して、制御装置７（図１参照）に接続されている。ドアホン２００は、入出力端子Ｔ２を介して、制御装置７との間で有線通信又は無線通信を行う。
【００９６】
第１のフィルタ回路２７１は、入出力端子Ｔ１を介して入力された信号からノイズ等を除去して第２の変復調回路２８へ出力する。
【００９７】
制御装置７から送信される信号は、第３のフィルタ回路２７３でノイズ等を除去され、第３の変復調回路４６の復調回路で復調されて、制御部３へ出力される。
【００９８】
マイクロホン２５に入力された音は、音情報を含む電気信号に変換される。マイクロホン２５で変換された電気信号は、アンプ回路２４で増幅されて、第２のフィルタ回路２７２でノイズ等を除去され、制御部３へ出力される。さらに、制御部３に入力された電気信号は、Ａ／Ｄ変換器３３でアナログ信号からデジタル信号に変換される。デジタル信号は、第３の変復調回路４６の変調回路で変調されて、入出力端子Ｔ２を介して制御装置７へ出力される。
【００９９】
（実施形態のその他の変形例）
次に、実施形態のその他の変形例を列挙する。以下の変形例は、適宜組み合わせて実現されてもよい。また、以下の変形例は、変形例１と適宜組み合わせて実現されてもよい。
【０１００】
実施形態では、無線通信を行うための第１通信装置及び第２通信装置は、ドアホン２（ドアホン２Ａ、２Ｂ、２Ｃ、２Ｄ）である。これに対して、第１通信装置及び第２通信装置は、住宅情報盤５であってもよい。また、第１通信装置及び第２通信装置は、ドアホン２及び住宅情報盤５とは別に設けられてもよい。
【０１０１】
また、第１通信装置及び第２通信装置が設置される場所は、住戸に限定されない。例えば、第１通信装置は、集合住宅の廊下等の共用部に設置されてもよい。第２通信装置は、集合住宅の管理人室に設置されてもよい。また、第２通信装置と制御装置７とが１つの筐体に集約されていてもよい。
【０１０２】
また、第１通信装置及び第２通信装置の各々において、信号を送信するための構成と、信号を受信するための構成とが、複数の筐体に分散して設けられていてもよい。
【０１０３】
また、ドアホン２の各構成は、１つの筐体内に集約されていてもよいし、複数の筐体に分散して設けられていてもよい。例えば、受電部２９は、通信部２０が収容されている筐体とは別の筐体に収容されていてもよい。また、記憶部３１は、ドアホン２が備えていてもよいし、ドアホン２とは別の機器が備えていてもよい。
【０１０４】
また、ドアホン２の受電部２９は、住宅情報盤５から給電されるのではなく、住戸に設けられた分電盤から住宅情報盤５を介さずに給電されてもよい。あるいは、受電部２９は、住宅情報盤５とは別の機器から給電されてもよい。
【０１０５】
また、実施形態のドアホン２Ｅ、２Ｆの各々は、主幹線Ｌ２から住戸線Ｌ１を分岐させるための分岐器を備えている。これに対して、分岐器は、ドアホン２Ｅ、２Ｆとは別に設けられていてもよい。
【０１０６】
また、ドアホン２Ｄ、２Ｅ、２Ｆと主幹線Ｌ２とが直接接続されているのではなく、住宅情報盤５Ｄ、５Ｅ、５Ｆと主幹線Ｌ２とが直接接続されていてもよい。
【０１０７】
また、ドアホン２Ａ、２Ｂ、２Ｃ、２Ｄだけでなく、ドアホン２Ｅ、２Ｆも通信部２０を備えていてもよい。つまり、ドアホン２Ｅ、２Ｆも別のドアホン２との間で無線通信を行ってもよい。
【０１０８】
また、第１の棟Ｂ１の各ドアホン２と第２の棟Ｂ２の各ドアホン２とが無線通信路Ｃ１を介して通信し、第１の棟Ｂ１では複数のドアホン２Ａ、２Ｂ、２Ｃが有線により互いに接続されていてもよい。つまり、無線通信路Ｃ２、Ｃ３が有線の通信路に置き換えられてもよい。また、制御装置７とドアホン２Ａとを接続する主幹線Ｌ３が無線通信路に置き換えられてもよい。また、制御装置７と１又は複数のドアホン２とが有線の通信路を介さずに無線通信路を介して通信してもよい。通信システム１は、無線通信路Ｃ１、Ｃ２、Ｃ３、制御装置７と１又は複数のドアホン２との間の無線通信路又はその他の無線通信路のうち少なくとも１つを形成すればよい。
【０１０９】
また、各ドアホン２は、信号の送信元のドアホン２と送信先のドアホン２とが異なる棟又は異なる階にある場合は無線通信路を介して通信し、信号の送信元のドアホン２と送信先のドアホン２とが同じ棟の同じ階にある場合は有線の通信路を介して通信してもよい。
【０１１０】
また、制御装置７と各ドアホン２とが無線通信路を介して通信し、かつ、各ドアホン２とドアホン２に対応する住宅情報盤５とが無線通信路を介して通信してもよい。さらに、制御装置７と各ドアホン２との間の無線通信のチャネルと、各ドアホン２とドアホン２に対応する住宅情報盤５との間の無線通信のチャネルとが異なっていてもよい。無線通信のチャネルとして、例えば、１．４ＧＨｚの周波数帯と５ＧＨｚの周波数帯とが用いられてもよい。各ドアホン２とドアホン２に対応する住宅情報盤５とが無線通信路を介して通信する場合、例えば、ドアホン２と住宅情報盤５との無線通信のためのチャネルが確保されることにより、ドアホン２と住宅情報盤５との通信を確立できる。
【０１１１】
また、無線通信は、電波を伝送媒体とする通信に限定されず、赤外線等の光を伝送媒体とする通信であってもよい。
【０１１２】
また、ドアホン２において、信号の転送先は、予め決まっていなくてもよい。例えば、ドアホン２は、通信部２０における電波の送信強度、受信感度及び通信のエラー発生率等の通信環境に応じて信号の転送先を決定又は変更してもよい。
【０１１３】
また、ドアホン２は、信号の宛先が自機ではなく自機に接続された住宅情報盤５でもない場合に、自機とは別の、複数のドアホン２に信号を転送してもよい。
【０１１４】
また、実施形態のドアホン２Ａ、２Ｂ、２Ｃ、２Ｄにおいて、アンテナ２１は、取付部材４３に埋め込まれることで取付部材４３に覆われている。これに対して、アンテナ２１は、取付部材４３の貫通孔４３０の内縁に取り付けられることで、取付部材４３のうち貫通孔４３０により開口している面と直交する方向から見て、取付部材４３に覆われていてもよい。
【０１１５】
あるいは、アンテナ２１は、操作釦４４に覆われていてもよい。例えば、アンテナ２１は、操作釦４４に埋め込まれることで操作釦４４に覆われていてもよい。あるいは、アンテナ２１は、操作釦４４の裏面に取り付けられることで操作釦４４に覆われていてもよい。あるいは、アンテナ２１は、筐体４２の内部であって操作釦４４と対向する位置に配置されることで操作釦４４に覆われていてもよい。
【０１１６】
（まとめ）
以上説明した実施形態等から、以下の態様が開示されている。第１の態様に係る通信システム１は、第１通信装置（例えば、ドアホン２Ｄ）と、第２通信装置（例えば、ドアホン２Ａ）と、を備える。第２通信装置は、第１通信装置との間で無線通信を行うことで無線通信路Ｃ１（又はＣ２、Ｃ３）を形成する。無線通信路Ｃ１（又はＣ２、Ｃ３）は、制御装置７から施設の一の区画までの間の通信路の少なくとも一部を構成する。制御装置７は、ロビーインターホン６とインターホン親機（住宅情報盤５）との間の通信を中継しロビーインターホン６とインターホン親機との間の通信の有無を切り替える。ロビーインターホン６は、施設の共同玄関に設置される。インターホン親機は、施設の一の区画に設置される。第１通信装置は、制御装置７から送信され第２通信装置が受信した信号を、無線通信路Ｃ１（又はＣ２、Ｃ３）を介して受信し、インターホン親機へ送信する。
【０１１７】
上記の構成によれば、制御装置７から施設の一の区画までの間の通信路が有線の通信路のみからなる場合と比較して、制御装置７から一の区画までの間の通信路を設ける際の手間を減らすことができる。
【０１１８】
また、第２の態様に係る通信システム１では、第１の態様において、第１通信装置（例えば、ドアホン２Ｄ）は、インターホン親機（例えば、住宅情報盤５Ｄ）との間で有線通信を行う。インターホン親機は、一の区画に設置される。
【０１１９】
上記の構成によれば、制御装置７からインターホン親機（例えば、住宅情報盤５Ｄ）までの間の通信が無線のみにより行われる場合と比較して、通信を安定させられることがある。
【０１２０】
また、第３の態様に係る通信システム１では、第１又は２の態様において、第１通信装置（例えば、ドアホン２Ｄ）は、インターホン親機（例えば、住宅情報盤５Ｄ）との通信を確立する。インターホン親機は、一の区画に設置される。第１通信装置（例えば、ドアホン２Ｄ）は、第２通信装置（例えば、ドアホン２Ａ）から送信され第１通信装置が受信した信号の宛先が第１通信装置ではなく一の区画に設置されたインターホン親機（例えば、住宅情報盤５Ｄ）でもない場合、信号を別のインターホン親機（住宅情報盤５）へ転送する。
【０１２１】
上記の構成によれば、第１通信装置（例えば、ドアホン２Ｄ）から転送された信号を受信する別のインターホン親機（住宅情報盤５）は、制御装置７から離れていても制御装置７からの信号を受信できる。
【０１２２】
また、第４の態様に係る通信システム１は、第３の態様において、記憶部３１を更に備える。記憶部３１は、信号の転送先のアドレスを記憶する。第１通信装置（例えば、ドアホン２Ｄ）は、アドレスに対応する機器へ信号を転送する。
【０１２３】
上記の構成によれば、第１通信装置（例えば、ドアホン２Ｄ）は、記憶部３１に記憶されたアドレスに対応する機器へ信号を転送するので、アドレスを適宜設定することで、信号を宛先へより速く伝送できる。
【０１２４】
また、第５の態様に係る通信システム１では、第４の態様において、記憶部３１は、信号の転送先のアドレスを、信号の宛先と対応付けて記憶する。
【０１２５】
上記の構成によれば、信号の宛先と信号の転送先のアドレスとが対応付けられているので、宛先とアドレスとの対応を適宜設定することで、信号を宛先へより速く伝送できる。
【０１２６】
また、第６の態様に係る通信システム１では、第１〜５の態様のいずれか１つにおいて、第１通信装置は、一の区画の玄関前に設置されたインターホン子機（例えば、ドアホン２Ｄ）である。インターホン子機は、インターホン親機（例えば、住宅情報盤５Ｄ）と通信する。
【０１２７】
上記の構成によれば、第１通信装置をインターホン子機（例えば、ドアホン２Ｄ）と別に設ける場合と比較して、第１通信装置の設置スペースを小さくできる。
【０１２８】
また、第７の態様に係る通信システム１では、第１〜６の態様のいずれか１つにおいて、第１通信装置（例えば、ドアホン２Ｄ）は、アンテナ２１を有する。アンテナ２１は、第２通信装置（例えば、ドアホン２Ａ）との間で無線通信を行う。アンテナ２１の少なくとも一部は、第１通信装置が施設の壁材１００の一の面１１０に取り付けられているとき、一の面１１０から見て壁材１００の外側に位置する。
【０１２９】
上記の構成によれば、アンテナ２１の少なくとも一部は、壁材１００の一の面１１０から見て壁材１００の外側に位置するので、アンテナ２１の全体が一の面１１０の裏側の空間に位置する場合と比較して、アンテナ２１による無線通信を行いやすい。
【０１３０】
また、第８の態様に係る通信システム１では、第７の態様において、第１通信装置（例えば、ドアホン２Ｄ）は、取付部材４３と、筐体４２と、を更に有する。取付部材４３は、電気絶縁性を有し壁材１００の一の面１１０に取り付けられる。筐体４２は、一の面１１０との間に取付部材４３を挟んだ状態で取付部材４３に取り付けられる。アンテナ２１は、取付部材４３に覆われている。
【０１３１】
上記の構成によれば、筐体４２が導電性を有していても、アンテナ２１は、取付部材４３を透過する経路で電波を送受信できる。
【０１３２】
また、第９の態様に係る通信システム１では、第７の態様において、第１通信装置（例えば、ドアホン２Ｄ）は、筐体４２と、操作釦４４と、を更に有する。操作釦４４は、電気絶縁性を有し筐体４２の外部に露出している。アンテナ２１は、操作釦４４に覆われている。
【０１３３】
上記の構成によれば、筐体４２が導電性を有していても、アンテナ２１は、操作釦４４を透過する経路で電波を送受信できる。
【０１３４】
また、第１０の態様に係る通信システム１では、第１〜９の態様のいずれか１つにおいて、第２通信装置は、施設の複数の区画のうち、一の区画とは別の区画の玄関前に設置されたインターホン子機（例えば、ドアホン２Ａ）である。
【０１３５】
上記の構成によれば、第２通信装置をインターホン子機（例えば、ドアホン２Ａ）と別に設ける場合と比較して、第２通信装置の設置スペースを小さくできる。
【０１３６】
また、第１１の態様に係る通信システム１では、第１〜１０の態様のいずれか１つにおいて、第１通信装置（例えば、ドアホン２Ｄ）は、受電部２９を有する。受電部２９は、インターホン親機（例えば、住宅情報盤５Ｄ）から供給される電力を受電する。
【０１３７】
上記の構成によれば、分電盤等からインターホン親機（例えば、住宅情報盤５Ｄ）を介さずに第１通信装置（例えば、ドアホン２Ｄ）に給電する場合と比較して、第１通信装置に給電する電路を設置することが容易である。
【０１３８】
また、第１２の態様に係る通信システム１では、第１〜１１の態様のいずれか１つにおいて、制御装置７と、インターホン親機（住宅情報盤５）と、を更に備える。インターホン親機は、一の区画に設置される。
【０１３９】
上記の構成によれば、制御装置７から施設の一の区画までの間の通信路が有線の通信路のみからなる場合と比較して、制御装置７から施設の一の区画までの間の通信路を設ける際の手間を減らすことができる。
【０１４０】
第１の態様以外の構成については、通信システム１に必須の構成ではなく、適宜省略可能である。
【０１４１】
また、第１３の態様に係る通信装置は、第１〜１２の態様のいずれか１つに係る通信システム１に用いられる第１通信装置（例えば、ドアホン２Ｄ）を備える。
【０１４２】
上記の構成によれば、制御装置７から施設の一の区画までの間の通信路が有線の通信路のみからなる場合と比較して、制御装置７から施設の一の区画までの間の通信路を設ける際の手間を減らすことができる。
【０１４３】
また、第１４の態様に係る通信装置は、第１〜１２の態様のいずれか１つに係る通信システム１に用いられる第２通信装置（例えば、ドアホン２Ａ）を備える。
【０１４４】
上記の構成によれば、制御装置７から施設の一の区画までの間の通信路が有線の通信路のみからなる場合と比較して、制御装置７から施設の一の区画までの間の通信路を設ける際の手間を減らすことができる。
【０１４５】
また、第１５の態様に係る通信システムの通信方法は、第１のステップと、第２のステップと、を備える。第１のステップでは、第１通信装置（例えば、ドアホン２Ｄ）と第２通信装置（例えば、ドアホン２Ａ）との間で無線通信を行うことで無線通信路Ｃ１（又はＣ２、Ｃ３）を形成する。無線通信路Ｃ１（又はＣ２、Ｃ３）は、制御装置７から施設の一の区画までの間の通信路の少なくとも一部を構成する。制御装置７は、ロビーインターホン６とインターホン親機（住宅情報盤５）との間の通信を中継しロビーインターホン６とインターホン親機との間の通信の有無を切り替える。ロビーインターホン６は、施設の共同玄関に設置される。インターホン親機は、施設の一の区画に設置される。第２のステップでは、信号を、制御装置７から第２通信装置へ送信し、第２通信装置から無線通信路Ｃ１（又はＣ２、Ｃ３）を介して第１通信装置へ送信し、第１通信装置からインターホン親機へ送信する。
【０１４６】
上記の構成によれば、制御装置７から施設の一の区画までの間の通信路が有線の通信路のみからなる場合と比較して、制御装置７から施設の一の区画までの間の通信路を設ける際の手間を減らすことができる。
【０１４７】
また、第１６の態様に係るプログラムは、第１５の態様に係る通信システムの通信方法を、コンピュータシステムに実行させる。
【０１４８】
上記の構成によれば、制御装置７から施設の一の区画までの間の通信路が有線の通信路のみからなる場合と比較して、制御装置７から施設の一の区画までの間の通信路を設ける際の手間を減らすことができる。
【符号の説明】
【０１４９】
１  通信システム
２、２００  ドアホン（第１通信装置又は第２通信装置）
５  住宅情報盤（インターホン親機）
６  ロビーインターホン
７  制御装置
２１  アンテナ
２９  受電部
３１  記憶部
４２  筐体
４３  取付部材
４４  操作釦
１００  壁材
１１０  一の面
Ｃ１、Ｃ２、Ｃ３  無線通信路
【図１】
2019193236.tif 000003
【図２】
2019193236.tif 000004
【図３】
2019193236.tif 000005
【図４】
2019193236.tif 000006
【図５】
2019193236.tif 000007